(57)【要約】【課題】特別な装置を必要とせずにテレビから離れた位置で携帯型音声再生装置を操作してテレビから音声再生でき、利便性が高い送受信システムを提供する。【解決手段】リモコン１が有する音声入力端子２に外部の携帯型音声再生装置からアナログ音声信号が入力され、音声変調部３が該アナログ音声信号を変調し変調信号を生成し、赤外ＬＥＤ７が該変調信号を赤外線信号に変換しテレビに出力し、テレビにおいては、赤外受光部がリモコン１からの赤外線信号を受信し変調信号に変換し、音声復調部が該変調信号をアナログ音声信号に復調し、該アナログ音声信号は音声増幅部で増幅され、スピーカが増幅されたアナログ音声信号に基づく音声を発する。【選択図】図１
2007214724.tif 000002
【特許請求の範囲】
【請求項１】
操作手段と、該操作手段でされた操作に対応するコード信号を生成するコード信号生成手段と、該コード信号を変調して変調信号を生成する第一の変調手段と、該変調信号を光信号に変換して出力する発光手段と、を備えるリモコンと、
前記光信号を受光して変調信号に変換する受光手段と、該変調信号をコード信号に復調する第一の復調手段と、該コード信号に基づき制御動作を行う制御手段と、を備えるテレビと、からなる送受信システムであって、
前記リモコンは、音声入力端子と、第二の変調手段と、をさらに備え、前記テレビは、第二の復調手段と、音声発生手段と、音声信号生成手段と、をさらに備え、
前記音声入力端子に前記リモコン外部からアナログ音声信号が入力され、前記第二の変調手段は該アナログ音声信号を変調して変調信号を生成し、前記発光手段は該変調信号を光信号に変換して出力し、前記受光手段は該光信号を受光して変調信号に変換し、前記第二の復調手段は該変調信号をアナログ音声信号に復調し、
前記音声信号生成手段は、放送信号に基づきアナログ音声信号を生成し、
前記制御手段は、前記第二の復調手段から前記音声発生手段へ前記アナログ音声信号が送られる信号経路と、前記音声信号生成手段から前記音声発生手段へ前記アナログ音声信号が送られる信号経路と、を前記第一の復調手段が復調により生成したコード信号に基づき切り換え、
前記音声発生手段は、前記第二の復調手段または前記音声信号生成手段から送られる前記アナログ音声信号に基づき音声を発生する、
ことを特徴とする送受信システム。
【請求項２】
操作手段と、該操作手段でされた操作に対応するコード信号を生成するコード信号生成手段と、該コード信号を変調して変調信号を生成する第一の変調手段と、該変調信号を光信号に変換して出力する発光手段と、を備えるリモコンと、
前記光信号を受光して変調信号に変換する受光手段と、該変調信号をコード信号に復調する第一の復調手段と、該コード信号に基づき制御動作を行う制御手段と、を備えるテレビと、からなる送受信システムであって、
前記リモコンは、音声入力端子と、第二の変調手段と、をさらに備え、前記テレビは、第二の復調手段と、音声発生手段と、をさらに備え、
前記音声入力端子に前記リモコン外部からアナログ音声信号が入力され、前記第二の変調手段は該アナログ音声信号を変調して変調信号を生成し、前記発光手段は該変調信号を光信号に変換して出力し、前記受光手段は該光信号を受光して変調信号に変換し、前記第二の復調手段は該変調信号をアナログ音声信号に復調し、前記音声発生手段は該アナログ音声信号に基づき音声を発生する、
ことを特徴とする送受信システム。
【発明の詳細な説明】
【技術分野】
【０００１】
本発明は、リモコンとテレビからなる送受信システムに関するものである。
【背景技術】
【０００２】
従来から様々な携帯型音声再生装置が登場してきており、その中には例えば、携帯型ＭＤプレーヤ等のディスクを再生できるものや、ＭＰ３プレーヤ等の音声圧縮ファイルを再生できるものがある。このような携帯型音声再生装置はヘッドホン端子を有し、携帯時はヘッドホン端子に接続されたヘッドホンから音声を再生してユーザは音声を鑑賞する。
【０００３】
ここで、携帯型音声再生装置をユーザが自宅において大音量で音声再生して鑑賞したい場合がある。テレビのスピーカで音声を鑑賞する場合、ユーザは携帯型音声再生装置のヘッドホン端子とテレビの音声入力端子とをケーブルで接続して、携帯型音声再生装置を再生する。すると、アナログ音声信号が携帯型音声再生装置からテレビへ送出され、テレビのスピーカから音声が再生され、ユーザは大音量で音声を鑑賞することができる。しかし、この方法では、ユーザは、選曲操作等の再生のための操作をする場合にわざわざテレビの近くまで行き、携帯型音声再生装置を操作する必要があり不便である。
【０００４】
そこで、特許文献１に開示された技術を用いると次のようなことも可能である。ユーザは、携帯型音声再生装置のヘッドホン端子に光送信装置を接続し、テレビの音声入力端子に光受信装置を接続し、携帯型音声再生装置を再生する。すると、携帯型音声再生装置からのアナログ音声信号は光送信装置で光信号に変換され制御卓に送出され、制御卓は受信した光信号に基づく光信号を受信装置に送出し、受信装置は受信した光信号をアナログ音声信号に変換しテレビに送出する。そして、テレビのスピーカから音声が再生され、ユーザは大音量で音声を鑑賞することができる。この方法であれば、ユーザはテレビから離れた位置で携帯型音声再生装置の操作をしてテレビから音声を再生することができる。
【特許文献１】特許公報第３００８５４５号
【発明の開示】
【発明が解決しようとする課題】
【０００５】
しかし、上記特許文献１の技術を用いた音声再生方法では、光送信装置および光受信装置や、制御卓のような特別な装置が必要であり、利便性が低い。
【０００６】
上記問題点を鑑み、本発明は、特別な装置を必要とせずにテレビから離れた位置で携帯型音声再生装置を操作してテレビから音声再生でき、利便性が高い送受信システムを提供することを目的とする。
【課題を解決するための手段】
【０００７】
上記目的を達成するため、本発明の送受信システムは、
操作手段と、該操作手段でされた操作に対応するコード信号を生成するコード信号生成手段と、該コード信号を変調して変調信号を生成する第一の変調手段と、該変調信号を光信号に変換して出力する発光手段と、を備えるリモコンと、
前記光信号を受光して変調信号に変換する受光手段と、該変調信号をコード信号に復調する第一の復調手段と、該コード信号に基づき制御動作を行う制御手段と、を備えるテレビと、からなる送受信システムであって、
前記リモコンは、音声入力端子と、第二の変調手段と、をさらに備え、前記テレビは、第二の復調手段と、音声発生手段と、をさらに備え、
前記音声入力端子に前記リモコン外部からアナログ音声信号が入力され、前記第二の変調手段は該アナログ音声信号を変調して変調信号を生成し、前記発光手段は該変調信号を光信号に変換して出力し、前記受光手段は該光信号を受光して変調信号に変換し、前記第二の復調手段は該変調信号をアナログ音声信号に復調し、前記音声発生手段は該アナログ音声信号に基づき音声を発生する、
ことを特徴としている。
【０００８】
このような構成によれば、テレビを操作するリモコンに携帯型音声再生装置をケーブル等で接続するだけで特別な装置は必要とせず、テレビから離れた位置で携帯型音声再生装置を操作してテレビから音声再生でき、利便性が高くなる。
【０００９】
また、本発明の送受信システムは、
操作手段と、該操作手段でされた操作に対応するコード信号を生成するコード信号生成手段と、該コード信号を変調して変調信号を生成する第一の変調手段と、該変調信号を光信号に変換して出力する発光手段と、を備えるリモコンと、
前記光信号を受光して変調信号に変換する受光手段と、該変調信号をコード信号に復調する第一の復調手段と、該コード信号に基づき制御動作を行う制御手段と、を備えるテレビと、からなる送受信システムであって、
前記リモコンは、音声入力端子と、第二の変調手段と、をさらに備え、前記テレビは、第二の復調手段と、音声発生手段と、音声信号生成手段と、をさらに備え、
前記音声入力端子に前記リモコン外部からアナログ音声信号が入力され、前記第二の変調手段は該アナログ音声信号を変調して変調信号を生成し、前記発光手段は該変調信号を光信号に変換して出力し、前記受光手段は該光信号を受光して変調信号に変換し、前記第二の復調手段は該変調信号をアナログ音声信号に復調し、
前記音声信号生成手段は、放送信号に基づきアナログ音声信号を生成し、
前記制御手段は、前記第二の復調手段から前記音声発生手段へ前記アナログ音声信号が送られる信号経路と、前記音声信号生成手段から前記音声発生手段へ前記アナログ音声信号が送られる信号経路と、を前記第一の復調手段が復調により生成したコード信号に基づき切り換え、
前記音声発生手段は、前記第二の復調手段または前記音声信号生成手段から送られる前記アナログ音声信号に基づき音声を発生する、
ことを特徴としている。
【００１０】
このような構成によれば、上記の効果に加えて、テレビで放送番組の音声を聴くモードと、リモコンに接続された携帯型音声再生装置を再生してテレビで音声を聴くモードとを、テレビから離れた位置でリモコン操作により切り換えることができる。
【発明の効果】
【００１１】
本発明の送受信システムによれば、特別な装置を必要とせずにテレビから離れた位置で携帯型音声再生装置を操作してテレビから音声再生でき、利便性が高い。
【発明を実施するための最良の形態】
【００１２】
以下、本発明の実施形態について図面を参照しつつ説明する。
【００１３】
図１は、本発明に係るリモコン１の構成を示すブロック図である。
【００１４】
音声入力端子２は、不図示であるリモコン１外部の携帯型音声再生装置（例えば、携帯型ＭＤプレーヤやＭＰ３プレーヤ等）が有するアナログ音声出力端子とケーブル等で接続され、アナログ音声信号が携帯型音声再生装置から入力される端子である。音声変調部３は、音声入力端子２からのアナログ音声信号を変調し変調信号を生成し赤外ＬＥＤ７に送出する。操作部４は、ボタン等を有し、制御部５に操作信号を送出する。制御部５は操作信号を操作部４から受信し、操作部４でされた操作に対応するコード信号をリモコン変調部６に送出する。リモコン変調部６は、コード信号を変調し変調信号を生成し赤外ＬＥＤ７に送出する。赤外ＬＥＤ７は、音声変調部３またはリモコン変調部６からの変調信号を赤外線信号に変換して、後述する本発明に係るテレビに出力する。
【００１５】
また、図２は、本発明に係るテレビ８の構成を示すブロック図である。
【００１６】
アンテナ９は、放送電波信号を電気信号である放送信号に変換する。チューナ１０は、アンテナ９から受信する放送信号から所定のチャンネルの信号を取り出し、中間周波信号に変換する。映像中間周波増幅部１１は、チューナ１０から受信する中間周波信号を増幅する。映像検波部１２は、映像中間周波増幅部１１で増幅された中間周波信号から映像中間周波信号を取り出し検波し、コンポジット信号を取り出す。スイッチ１３は、映像検波部１２から映像増幅部１４への信号経路と、コンポジット信号生成部２５から映像増幅部１４への信号経路とを切り換える。
【００１７】
映像増幅部１４は、映像検波部１２またはコンポジット信号生成部２５から受信するコンポジット信号を増幅する。同期偏向部１５は、映像増幅部１４から受信する増幅されたコンポジット信号から同期信号を取り出し、これに基づき水平偏向信号および垂直偏向信号を生成して偏向コイル２０に送出する。輝度信号生成部１６は、映像増幅部１４から受信する増幅されたコンポジット信号から輝度信号を取り出し、遅延および増幅させて原色出力部１８に送出する。色差信号生成部１７は、映像増幅部１４から受信する増幅されたコンポジット信号から色信号を取り出し、これに基づきＲＧＢに対応する色差信号を生成し原色出力部１８に送出する。原色出力部１８は、輝度信号および色差信号に基づきＲＧＢの三原色信号を生成する。
【００１８】
受像管１９は、内部に電子銃やシャドウマスクを有し、前面に蛍光体が塗られている。また、受像管１９の周りに偏向コイル２０が設けられる。そして、原色出力部１８からの三原色信号に基づき電子銃が電子ビームを射出し、この電子ビームを同期偏向部１５からの水平偏向信号および垂直偏向信号に基づき偏向コイル２０が偏向する。そして、偏向された電子ビームが蛍光体に衝突することにより、受像管１９の前面に画像が表示される。
【００１９】
また、音声信号生成部２６は、映像中間周波増幅部１１で増幅された中間周波信号から音声中間周波信号を取り出し検波し、アナログ音声信号を取り出す。スイッチ２７は、音声信号生成部２６から音声増幅部２８への信号経路と、音声復調部２３から音声増幅部２８への信号経路とを切り換える。音声増幅部２８は、音声信号生成部２６または音声復調部２３から受信するアナログ音声信号を増幅する。スピーカ２９は、音声増幅部２８で増幅されたアナログ音声信号に基づく音声を発する。
【００２０】
また、赤外受光部２１は、レンズや光電変換素子を有し、前述したリモコン１から赤外線信号を受信し変調信号に変換する。リモコン復調部２２は、赤外受光部２１から受信する変調信号をコード信号に復調して制御部２４に送出する。音声復調部２３は、赤外受光部２１から受信する変調信号をアナログ音声信号に復調してスイッチ２７に送出する。
制御部２４は、不図示のＲＯＭに記憶された制御プログラムを読み込み、各部を制御する。
【００２１】
このような構成の本発明に係るテレビ８における放送視聴時の動作について説明する。
【００２２】
リモコン１の操作部４が有するテレビモードボタンが押されると、制御部５は操作部４から操作信号を受信し、テレビモードボタン押下げに対応するコード信号をリモコン変調部６に送出する。リモコン変調部６は、コード信号を変調し変調信号を赤外ＬＥＤ７に送出し、赤外ＬＥＤ７は、変調信号を赤外線信号に変換しテレビ８に出力する。
【００２３】
そして、テレビ８が有する赤外受光部２１がリモコン１から赤外線信号を受信すると変調信号に変換しリモコン復調部２２に送出し、リモコン復調部２２は、変調信号を復調してコード信号を制御部２４に送出する。制御部２４は、コード信号を受信すると、映像検波部１２から映像増幅部１４への信号経路がつながるようスイッチ１３に指示信号を送出し、また、音声信号生成部２６から音声増幅部２８への信号経路がつながるようスイッチ２７に指示信号を送出し、各信号経路がつながる。すると、前述した信号の流れにより、チューナ１０で現在選局されている放送信号に対応する画像が受像管１９に表示され、音声がスピーカ２９から発せられ、ユーザは放送番組を視聴できる。
【００２４】
ここで、リモコン１の操作部４が有する各チャンネルボタンが押されると、制御部５は操作部４から操作信号を受信し、各チャンネルボタン押下げに対応するコード信号をリモコン変調部６に送出する。リモコン変調部６は、コード信号を変調し変調信号を赤外ＬＥＤ７に送出し、赤外ＬＥＤ７は、変調信号を赤外線信号に変換しテレビ８に出力する。
【００２５】
そして、テレビ８が有する赤外受光部２１がリモコン１から赤外線信号を受信すると変調信号に変換しリモコン復調部２２に送出し、リモコン復調部２２は、変調信号を復調してコード信号を制御部２４に送出する。制御部２４は、コード信号を受信すると、押されたチャンネルボタンのチャンネルの放送信号を選局するようチューナ１０に指示し、チューナ１０は選局する。すると、選局された放送信号に対応する画像が受像管１９に表示され、音声がスピーカ２９から発せられ、ユーザは所望のチャンネルの放送番組を視聴できる。
【００２６】
次に、リモコン１からテレビ８への音声転送動作について以下説明する。
【００２７】
リモコン１の操作部４が有する音声転送ボタンが押されると、制御部５は操作部４から操作信号を受信し、音声転送ボタン押下げに対応するコード信号をリモコン変調部６に送出する。リモコン変調部６は、コード信号を変調し変調信号を赤外ＬＥＤ７に送出し、赤外ＬＥＤ７は、変調信号を赤外線信号に変換しテレビ８に出力する。
【００２８】
そして、テレビ８が有する赤外受光部２１がリモコン１から赤外線信号を受信すると変調信号に変換しリモコン復調部２２に送出し、リモコン復調部２２は、変調信号を復調してコード信号を制御部２４に送出する。制御部２４は、コード信号を受信すると、コンポジット信号生成部２５から映像増幅部１４への信号経路がつながるようスイッチ１３に指示信号を送出し、また、音声復調部２３から音声増幅部２８への信号経路がつながるようスイッチ２７に指示信号を送出し、各信号経路がつながる。
【００２９】
そして、制御部２４は、コンポジット信号生成部２５に音声転送モードである旨を表示するための表示信号を生成するよう指示し、コンポジット信号生成部２５は、表示信号を生成しスイッチ１３を介して映像増幅部１４に送出する。すると、受像管１９の前面に音声転送モードである旨が表示される。
【００３０】
ここで、リモコン１が有する音声入力端子２に接続された携帯型音声再生装置において再生操作がなされると、アナログ音声信号が携帯型音声再生装置から音声入力端子２に入力され、音声変調部３に送出される。音声変調部３は、アナログ音声信号を変調して変調信号を生成し赤外ＬＥＤ７に送出し、赤外ＬＥＤ７は、変調信号を赤外線信号に変換しテレビ８に出力する。
【００３１】
そして、テレビ８が有する赤外受光部２１がリモコン１から赤外線信号を受信すると変調信号に変換し音声復調部２３に送出する。音声復調部２３は、変調信号をアナログ音声信号に復調しスイッチ２７を介して音声増幅部２８に送出する。そして、音声増幅部２８で増幅されたアナログ音声信号はスピーカ２９に送出され、スピーカ２９から音声が発せられる。
【００３２】
これにより、ユーザは、リモコンに携帯型音声再生装置をケーブル等で接続するだけで特別な装置は必要とせず、テレビから離れた位置で携帯型音声再生装置を操作してテレビから音声再生でき、利便性が高い。また、テレビで放送番組を視聴するモードと、リモコンに接続された携帯型音声再生装置を再生してテレビで音声を聴くモードとを、テレビから離れた位置でリモコン操作により切り換えることができる。
【図面の簡単な説明】
【００３３】
【図１】は、本発明に係るリモコンのブロック図である。
【図２】は、本発明に係るテレビのブロック図である。
【符号の説明】
【００３４】
１    リモコン
２    音声入力端子
３    音声変調部
４    操作部
５    制御部
６    音声変調部
７    赤外ＬＥＤ
８    テレビ
９    アンテナ
１０    チューナ
１１    映像中間周波増幅部
１２    映像検波部
１３    スイッチ
１４    映像増幅部
１５    同期偏向部
１６    輝度信号生成部
１７    色差信号生成部
１８    原色出力部
１９    受像管
２０    偏向コイル
２１    赤外受光部
２２    リモコン復調部
２３    音声復調部
２４    制御部
２５    コンポジット信号生成部
２６    音声信号生成部
２７    スイッチ
２８    音声増幅部
２９    スピーカ
【図２】
2007214724.tif 000003
【図１】
2007214724.tif 000004